(57)【要約】【課題】本発明は、様々な機能を有し、且つキーボードを取り外すことができるノート型パソコンを提供することを目的とする。【解決手段】本発明のノート型パソコンは、ベース及びベースに回転可能に設置された蓋体を備え、ベースには、載置面が設けられ、蓋体には、接続端が設けられ、蓋体の接続端は、回転可能にベースの装着端に装着され、ベースには、キーボードモジュールが設置される。キーボードモジュールの底面には、スクリーンが装着され、キーボードモジュールは、取り外すことができるようにベースに装着され、且つベースから露出し、ベースには、第一支持端が設けられ、蓋体には、第二支持端が設けられ、蓋体は、ベースに対して回転し、ベースの第一支持端と蓋体の第二支持端とは、１つの作業台に載置され、且つベースを傾斜させて、作業台と接触させて、スクリーンを使用する。【選択図】図１
2014146313.tif 000002
【特許請求の範囲】
【請求項１】
ベース及び前記ベースに回転可能に設置された蓋体を備え、前記ベースには、載置面が設けられ、前記蓋体には、接続端が設けられ、前記蓋体の接続端は、回転可能に前記ベースの装着端に装着され、前記ベースには、キーボードモジュールが設置されるノート型パソコンにおいて、
前記キーボードモジュールの底面には、スクリーンが装着され、前記キーボードモジュールは、取り外すことができるように前記ベースに装着され、且つ前記ベースから露出し、前記ベースには、第一支持端が設けられ、前記蓋体には、第二支持端が設けられ、前記蓋体は、前記ベースに対して回転し、前記ベースの第一支持端と前記蓋体の第二支持端は、１つの作業台に載置され、且つ前記ベースを傾斜して、前記作業台と接触させて、前記スクリーンを使用することを特徴とするノート型パソコン。
【請求項２】
前記ベースは、作業面及び前記作業面の反対側に位置する載置面を備え、前記第一支持端は、前記作業面の後側の周辺と前記載置面の後側の周辺とに接続され、前記蓋体は、ディスプレイ及び蓋板を備え、前記第二支持端は、前記ディスプレイの前側の周辺と前記蓋板の前側の周辺とに接続されることを特徴とする請求項１に記載のノート型パソコン。
【請求項３】
前記載置面は、前記作業面に対して平行とされ、前記作業面の後側の周辺と前記載置面の後側の周辺は、互いに接触せず、前記蓋板は、前記ディスプレイに対して平行とされ、前記ディスプレイの前側の周辺と前記蓋板の前側の周辺とは、互いに接触しないことを特徴とする請求項２に記載のノート型パソコン。
【請求項４】
前記第一支持端は、前記作業面の後側の周辺に接続され、且つ前記第一支持端と前記作業面との間には１つの鋭角が形成され、前記第二支持端は、前記ディスプレイの前側の周辺に接続され、且つ前記ディスプレイの前側の周辺と前記第二支持端との間には１つの鋭角が形成されることを特徴とする請求項３に記載のノート型パソコン。
【請求項５】
前記作業面の前記第一支持端と隣接する箇所には、１つの収容部が形成され、前記キーボードモジュールは、前記収容部の内部に装着されることを特徴とする請求項２に記載のノート型パソコン。
【請求項６】
前記第一支持端と前記第二支持端とは、それぞれ前記作業台に対して平行に載置され、且つ前記ベースと接続されることを特徴とする請求項１に記載のノート型パソコン。
【請求項７】
前記第一支持端と前記第二支持端は、それぞれ高摩擦係数の材料によって製造されることを特徴とする請求項６に記載のノート型パソコン。
【請求項８】
前記キーボードモジュールは、無線ユニットを備え、前記ベースから取り外した後、前記無線ユニットによって、前記ベースと接続されることを特徴とする請求項１に記載のノート型パソコン。
【請求項９】
前記キーボードモジュールは、無線ユニットを備え、前記ベースから取り外した後、前記無線ユニットによって、前記一体型パソコンと接続され、且つ前記一体型パソコンにデータを入力することを特徴とする請求項１に記載のノート型パソコン。
【請求項１０】
前記スクリーンは、タッチスクリーンであり、前記ベースを傾斜して載置し、タブレットにして使用することが可能であることを特徴とする請求項１に記載のノート型パソコン。
【請求項１１】
ベース及び前記ベースに回転可能に設置された蓋体を備え、前記ベースには、作業面が設けられ、前記作業面には、キーボードモジュールが設置され、前記蓋体には、ディスプレイが設置され、前記蓋体は、前記ベースに対して回転し、前記作業面と前記ディスプレイとの間の夾角は、１８０度より大きく、前記キーボードモジュールは、前記ディスプレイにデータを入力するノート型パソコンにおいて、
前記キーボードモジュールの底面には、タッチスクリーンが設置され、前記キーボードモジュールは、回転して、前記ベースに装着して、前記タッチスクリーンを使用し、前記蓋体は、前記ベースに対して回転し、前記作業面と前記ディスプレイとの間の夾角は、１８０より大きく、前記キーボードモジュールのタッチスクリーンは、前記ディスプレイと反対方向に位置し、前記タッチスクリーンと前記ディスプレイとは、互いに反対方法に位置するので、同時に、前記タッチスクリーンと前記ディスプレイとを使用できることを特徴とするノート型パソコン。
【請求項１２】
前記ベースと前記蓋体が接続されていない両端は、作業台に載置して、前記ベースは傾斜して前記作業台に設置され、前記タッチスクリーンを操作することを特徴とする請求項１１に記載のノート型パソコン。
【請求項１３】
前記ベースには、前記作業面の反対側に位置する載置面が設けられ、前記載置面は、前記作業面に対して平行とされ、前記ベースが前記蓋体と接続されていない一端は、第一支持端であり、前記第一支持端は、前記作業面の後側の周辺と前記載置面の後側の周辺とに接続され、前記蓋体は、前記ディスプレイに対して平行とされ、前記蓋体の前記ベースと接続されていない一端は、第二支持端であり、前記第二支持端は、前記ディスプレイの前側の周辺と前記蓋板の前側の周辺とに接続されることを特徴とする請求項１２に記載のノート型パソコン。
【請求項１４】
前記作業面の後側の周辺と前記載置面の後側の周辺とは、互いに接触せず、前記ディスプレイの前側の周辺と前記蓋板の前側の周辺とは、互いに接触しないことを特徴とする請求項１３に記載のノート型パソコン。
【請求項１５】
前記第一支持端は、前記作業面の後側の周辺と接続され、且つ前記第一支持端と前記作業面との間には１つの鋭角が形成され、前記第二支持端は、前記ディスプレイの前側の周辺に接続され、且つ前記ディスプレイの前側の周辺と前記第二支持端との間には１つの鋭角が形成されることを特徴とする請求項１４に記載のノート型パソコン。
【請求項１６】
前記第一支持端と前記第二支持端とは、前記作業台に対して平行に載置され、前記作業台は、前記ベースを支持することを特徴とする請求項１５に記載のノート型パソコン。
【請求項１７】
前記第一支持端と前記第二支持端は、それぞれ高摩擦係数の材料によって製造されることを特徴とする請求項１６に記載のノート型パソコン。
【発明の詳細な説明】
【技術分野】
【０００１】
本発明は、ノート型パソコンに関し、特にキーボードを取り外すことができるノート型パソコンに関するものである。
【背景技術】
【０００２】
モバイル技術のが発展に伴い、様々な携帯式電子装置を利用する機会が増大している。例えば、ノート型パソコン等である。このノート型パソコン等の電子装置にデータを入力するために、一般的にはキーボードが取り付けられている。キーボードは、通常ノート型パソコンに固定されているので、キーボードが故障した場合、ノート型パソコンのベースを開けてキーボードを修理しなければならない。しかし、ノート型パソコンのベース内部の空間は狭く、ベース内部に設置された部材は多いので、キーボードを修理する際に、ベース内部に設置された他の部材を損傷し易い。更に、一般のノート型パソコンのキーボードは、キーを押して入力するので、キーボードの機能は単一である。
【発明の概要】
【発明が解決しようとする課題】
【０００３】
以上の問題点に鑑みて、本発明の目的は、様々な機能を有し、且つキーボードを取り外すことができるノート型パソコンを提供することである。
【課題を解決するための手段】
【０００４】
上記の課題を解決するために、本発明のノート型パソコンは、ベース及び前記ベースに回転可能に設置された蓋体を備える。前記ベースには、載置面が設けられ、前記蓋体には、接続端が設けられ、前記蓋体の接続端は、回転可能に前記ベースの装着端に装着され、前記ベースには、キーボードモジュールが設置される。前記キーボードモジュールの底面には、スクリーンが装着され、前記キーボードモジュールは、取り外すことができるように前記ベースに装着され、且つ前記ベースから露出され、前記ベースには、第一支持端が設けられ、前記蓋体には、第二支持端が設けられ、前記蓋体は、前記ベースに対して回転し、前記ベースの第一支持端と前記蓋体の第二支持端とは、１つの作業台に載置され、且つ前記ベースを傾斜して、前記作業台と接触させて、前記スクリーンを使用する。
【０００５】
上記の課題を解決するために、本発明のノート型パソコンは、ベース及び前記ベースに回転可能に設置された蓋体を備える。前記ベースには、作業面が設けられ、前記作業面には、キーボードモジュールが設置され、前記蓋体には、ディスプレイが設置され、前記蓋体は、前記ベースに対して回転し、前記作業面と前記ディスプレイとの間の夾角は、１８０度より大きく、前記キーボードモジュールは、前記ディスプレイにデータを入力する。前記キーボードモジュールの底面には、タッチスクリーンが設置され、前記キーボードモジュールは、回転して、前記ベースに装着し、前記タッチスクリーンを使用し、前記蓋体は、前記ベースに対して回転し、前記作業面と前記ディスプレイとの間の夾角は、１８０より大きく、前記キーボードモジュールのタッチスクリーンは、前記ディスプレイと反対方向に位置して、前記タッチスクリーンと前記ディスプレイとは、互いに反対方法に位置するので、同時に、前記タッチスクリーンと前記ディスプレイとは使用できる。
【発明の効果】
【０００６】
本発明のノート型パソコンは、従来のノート型パソコンに比べて、キーボードをノート型パソコンから取り外すことができ、また、キーボードモジュールにタッチスクリーンが設置され、ベースが傾斜して支持するため、容易にタッチスクリーンを使用することができる。
【図面の簡単な説明】
【０００７】
【図１】本発明に係るノート型パソコンの分解斜視図である。
【図２】図１に示したノート型パソコンの別の視角から見た分解斜視図である。
【図３】図１に示したノート型パソコンのキーボードモジュールの機能構造図である。
【図４】図１に示したノート型パソコンの斜視図である。
【図５】図１に示したノート型パソコンの使用状態図である。
【図６】図５に示したノート型パソコンを側面から見た斜視図である。
【図７】図１に示したノート型パソコンの他の使用状態図である。
【図８】図１に示したノート型パソコンのキーボードモジュールの使用状態図である。
【発明を実施するための形態】
【０００８】
以下、図面に基づいて、本発明に係るノート型パソコンについて詳細に説明する。図１に示したように、ノート型パソコン１００は、ベース１０と、キーボードモジュール３０と、蓋体５０とを備える。蓋体５０は、回転可能にベース１０に取り付けられ、キーボードモジュール３０は、ベース１０に取り付け可能とされる。
【０００９】
図１及び図６に示したように、ベース１０は、作業面１１と、作業面１１の反対側に位置する載置面１５とを備える。載置面１５は、作業面１１に対して平行とされ、第一支持端１３は、作業面１１の後側の周辺と載置面１５の後側の周辺とを接続する。作業面１１の前側の周辺と載置面１５の前側の周辺とは、装着端１２によって接続される。作業面１１の後側の周辺と載置面１５の後側の周辺とは互いに接触しない。第一支持端１３は、斜面である。第一支持端１３は、作業面１１の後側の周辺と接続され、第一支持端１３と作業面１１との間には１つの鋭角が形成される。また、第一支持端１３は、装着端１２の後側の周辺と接続され、第一支持端１３と装着端１２との間には１つの鈍角が形成される。
【００１０】
作業面１１の第一支持端１３と隣接する箇所には、１つの収容部１１１が形成されている。収容部１１１の形状及びサイズは、キーボードモジュール３０の形状及びサイズと同一とされるので、キーボードモジュール３０を収容部１１１の内部に装着することができる。収容部１１１の深さは、キーボードモジュール３０の厚さと同一とされる。
【００１１】
蓋体５０の一側には、ディスプレイ５１が設置され、蓋体５０の別の一側には、蓋板５６が設置されている。蓋板５６は、ディスプレイ５１に対して平行に位置し、蓋体５０は、ベース１０に対して０度〜３６０度の範囲で回転することができる。第二支持端５２は、ディスプレイ５１の前側の周辺と蓋板５６の前側の周辺とに接続され、接続端５７は、ディスプレイ５１の後側の周辺と蓋板５６の後側の周辺とに接続される。蓋板５６は、ディスプレイ５１に対して平行に位置し、ディスプレイ５１の前側の周辺と蓋板５６の前側の周辺とは互いに接触しない。第二支持端５２は、斜面である。第二支持端５２は、ディスプレイ５１の前側の周辺と接続され、ディスプレイ５１の前側の周辺と第二支持端５２との間には１つの鋭角が形成される。第二支持端５２は、蓋板５６の後側の周辺と接続され、且つ蓋板５６の後側の周辺と第二支持端５２との間には１つの鈍角が形成される。
【００１２】
第一支持端１３及び第二支持端１５は、それぞれ高摩擦係数の材料によって製造される。例えば、ゴム等によって製造される。
【００１３】
図１及び図２に示したように、キーボードモジュール３０は、略長方形の平板状を呈し、第一表面３１及び第一表面３１の反対側に位置する第二表面３２を備える。本実施形態において、第一表面３１は、キーボードモジュール３０の上面であり、第二表面３２は、キーボードモジュール３０の底面である。第一表面３１と第二表面３２とは、互いに対して平行とされ、第一表面３１には、キーモジュール３１１が設置されており、このキーモジュール３１１には、複数のキーが設置されている。第二表面３２には、１つのスクリーン３２１が設置されている。本実施形態において、スクリーン３２１は、タッチスクリーンである。
【００１４】
図３に示したように、キーモジュール３１１は、無線のキーボードであり、内部に無線ユニット３１２が設置されている。この無線ユニット３１２は、ブルートゥース（登録商標）、Ｗｉ−Ｆｉ（登録商標）無線ユニット或いは赤外線ユニット等である。キーモジュール３１１は、無線ユニット３１２を介して、ノート型パソコンのホスト或いは１つの一体型パソコン８０（図８を参照）と接続される。
【００１５】
図１及び図４に示したように、キーボードモジュール３０を使用する際、先ず、キーボードモジュール３０の第一表面３１をユーザに向け、第二表面３２を下方に向ける。次に、キーボードモジュール３０を、収容部１１１の内部に収容する。この時、第一表面３１のキーモジュール３１１は、ベース１０の作業面１１から露出する。蓋体５０をベース１０に対して回転させた時、作業面１１１とディスプレイ５１との間の夾角は１８０度より小さいので、ユーザはキーモジュール３１１のボタンを押して、容易にノート型パソコン１００にデータを入力することができる。キーボードモジュール３０は、収容部１１１に取り付けた後、収容部１１１から取り外すこともできる。
【００１６】
図２、図５及び図６に示したように、スクリーン３２１を使用する際、キーボードモジュール３０を１８０度回転させて、第一表面３１を下方に向け、第二表面３２を上方に向ける。次に、キーボードモジュール３０をベース１０の収容部１１１の内部に収容する。この時、第二表面３２のスクリーン３２１は、ベース１０の作業面１１から露出する。蓋体５０をベース１０に対して回転させた時、作業面１１とディスプレイ５１との間の夾角は１８０度より大きい。次に、ベース１０の第一支持端１３と蓋体５０の第二支持端５２とを作業台９０に対して平行に載置する。この時、蓋体５０とベース１０とは、Ｖ字状を呈し、ベース１０は傾斜して、作業台９０と接触する。この際、ベース１０のスクリーン３２１（タッチスクリーン）を操作して、ノート型パソコン１００をタブレットパソコンにして使用することができる。また、スクリーン３２１とディスプレイ５１は、互いに反対方向に向けて位置するために、同時に使用される。
【００１７】
図７に示したように、キーボードモジュール３０をベース１０から取り外した後、キーボードモジュール３０をディスプレイ５１の前側に載置し、キーボードモジュール３０は、キーボードモジュール３０の無線ユニット３１２によって、ノート型パソコン１００のホストと接続され、キーボードモジュール３０によって、ディスプレイ５１にデータを入力することができる。
【００１８】
図８に示したように、キーボードモジュール３０は、ベース１０から取り外した後、一体型パソコン８０の前側に載置し、キーボードモジュール３０は、キーボードモジュール３０の無線ユニット３１２によって、一体型パソコン８０と接続され、キーボードモジュール３０は、一体型パソコン８０にデータを入力することができる。
【符号の説明】
【００１９】
１００  ノート型パソコン
１０  ベース
１１  作業面
１１１  収容部
１２  装着端
１３  第一支持端
１５  載置面
３０  キーボードモジュール
３１  第一表面
３１１  キーモジュール
３１２  無線ユニット
３２  第二表面
３２１  スクリーン
５０  蓋体
５１  ディスプレイ
５２  第二支持端
５６  蓋板
５７  接続端
８０  一体型パソコン
９０  作業台
【図１】
2014146313.tif 000003
【図２】
2014146313.tif 000004
【図３】
2014146313.tif 000005
【図４】
2014146313.tif 000006
【図５】
2014146313.tif 000007
【図６】
2014146313.tif 000008
【図７】
2014146313.tif 000009
【図８】
2014146313.tif 000010